(57)【要約】【課題】  電子メールの送受信履歴にもとづいて、電子メールの送受信先をテーブルで管理することができる電子メールアドレス管理システムを提供する。【解決手段】  電子メールを送受信すると、制御部３は、送受信者に対応づけられているアドレス送受信回数に１を加える。そして、制御部３は、アドレス送受信回数が、キーワード情報登録しきい値以上であれば、情報をアドレス帳管理テーブル２３に登録する。また、制御部３は、送受信した電子メールの送受信者の電子メールアドレスおよびキーワードが、履歴管理テーブル２１に登録されている情報と合致すると、キーワード送受信回数に１を加える。そして、制御部３は、キーワード送受信回数が、ユーザ情報登録しきい値以上であれば、情報をアドレス帳管理テーブル２３に登録する。【選択図】  図１
2006251929.tif 000002
【特許請求の範囲】
【請求項１】
送受信した電子メールの送受信者の電子メールアドレスを示す送受信者情報、および前記電子メールが含むキーワードを対応づけるアドレス帳管理テーブルと、
前記送受信者情報が示す電子メールアドレス、および前記電子メールアドレスが示す送受信者と電子メールを送受信した回数であるアドレス送受信回数を対応づける送受信集計管理テーブルと、
電子メールを送受信すると、前記送受信集計管理テーブルにおける送受信した電子メールの送信先または送信元の電子メールアドレスに対応づけられたアドレス送受信回数が示す値を更新するカウント手段と、
情報を前記アドレス帳管理テーブルに登録するか否かを、前記アドレス送受信回数と、予め決められている値であるキーワード情報登録しきい値とにもとづいて判断するしきい値判断手段と、
前記しきい値判断手段が、情報を前記アドレス帳管理テーブルに登録すると判断すると、送受信した電子メールの前記送受信者情報と、前記キーワードとを対応づけて前記アドレス帳管理テーブルに登録する情報登録手段と
を備えたことを特徴とするアドレス帳登録システム。
【請求項２】
カウント手段は、電子メールを送受信すると、送受信集計管理テーブルにおける送受信した電子メールの送信先または送信元の電子メールアドレスに対応づけられたアドレス送受信回数が示す値に１を加え、
しきい値判断手段は、前記アドレス送受信回数が、キーワード情報登録しきい値以上であると判断すると、情報をアドレス帳管理テーブルに登録すると判断する
請求項１記載のアドレス帳登録システム。
【請求項３】
送受信者情報、キーワード、および電子メールの同報者の電子メールアドレスを示す同報者情報との組み合わせと、前記組み合わせに合致する電子メールを送受信した回数であるキーワード送受信回数とを対応づける履歴管理テーブルを含み、
カウント手段は、送受信した電子メールの前記送受信者情報が示す電子メールアドレスおよび前記キーワードが、前記履歴管理テーブルの電子メールアドレスおよび前記キーワードと合致すると、前記キーワード送受信回数が示す値を更新し、
しきい値判断手段は、情報をアドレス帳管理テーブルに登録するか否かを、前記キーワード送受信回数と、予め決められている値であるユーザ情報登録しきい値とにもとづいて判断し、
情報登録手段は、前記しきい値判断手段が、情報を前記アドレス帳管理テーブルに登録すると判断すると、送受信した電子メールの前記送受信者情報と、前記キーワードとを対応づけて前記アドレス帳管理テーブルに登録する
請求項１または請求項２記載のアドレス帳登録システム。
【請求項４】
カウント手段は、送受信した電子メールの送受信者情報が示す電子メールアドレスおよびキーワードが、履歴管理テーブルの前記電子メールアドレスおよび前記キーワードと合致すると、キーワード送受信回数が示す値に１を加え、
しきい値判断手段は、前記キーワード送受信回数が、ユーザ情報登録しきい値以上であると判断すると、情報をアドレス帳管理テーブルに登録すると判断する
請求項３記載のアドレス帳登録システム。
【請求項５】
情報登録手段は、送受信した電子メールの送受信者情報と、キーワードと、同報者情報との組み合わせが履歴管理テーブルに含まれていないと、送受信した電子メールの前記送受信者情報と、前記キーワードと、前記同報者情報との組み合わせを前記履歴管理テーブルに登録する
請求項３または請求項４記載のアドレス帳登録システム。
【請求項６】
電子メールを作成する際に用いられる電子メール作成画面が含む送信先電子メールアドレスを入力する欄と、同報者の電子メールアドレスを入力する欄と、タイトルを入力する欄とに、履歴管理テーブルに登録されている情報にもとづいて、それぞれ情報を入力する情報入力手段を含み、
情報入力手段は、前記電子メール作成画面におけるタイトルを入力する欄に、アドレス帳管理テーブルのキーワードを入力する
請求項３から請求項５のうちいずれか１項記載のアドレス帳登録システム。
【請求項７】
情報入力手段は、アドレス帳管理テーブルと履歴管理テーブルとにもとづいて、電子メール作成画面の各欄にそれぞれ情報を入力する
請求項６記載のアドレス帳登録システム。
【請求項８】
情報登録手段は、送受信した電子メールの送受信者情報が送受信集計管理テーブルに含まれていないと、送受信した電子メールの前記送受信者情報を前記送受信集計管理テーブルに登録する
請求項１から請求項７のうちいずれか１項記載のアドレス帳登録システム。
【請求項９】
送受信した電子メールの送受信者の電子メールアドレスを示す送受信者情報と、前記電子メールが含むキーワードとを対応づけるアドレス帳管理テーブル、および前記送受信者情報が示す電子メールアドレスと、前記電子メールアドレスが示す送受信者と電子メールを送受信した回数であるアドレス送受信回数とを対応づける送受信集計管理テーブルを記憶する記憶手段に接続されたコンピュータに、
電子メールを送受信すると、前記送受信集計管理テーブルにおける送受信した電子メールの送信先または送信元の電子メールアドレスに対応づけられたアドレス送受信回数が示す値を更新するカウント処理と、
情報を前記アドレス帳管理テーブルに登録するか否かを、前記アドレス送受信回数と、予め決められている値であるキーワード情報登録しきい値とにもとづいて判断するしきい値判断処理と、
前記しきい値判断処理で、情報を前記アドレス帳管理テーブルに登録すると判断すると、送受信した電子メールの前記送受信者情報と、前記キーワードとを対応づけて前記アドレス帳管理テーブルに登録する情報登録処理と
を実行させるためのアドレス帳登録プログラム。
【請求項１０】
コンピュータに接続された記憶手段は、送受信者情報と、キーワードと、電子メールの同報者の電子メールアドレスを示す同報者情報との組み合わせと、前記組み合わせに合致する電子メールを送受信した回数であるキーワード送受信回数とを対応づける履歴管理テーブルを記憶し、
コンピュータに、
カウント処理で、送受信した電子メールの前記送受信者情報が示す電子メールアドレスおよび前記キーワードが、前記履歴管理テーブルの前記電子メールアドレスおよび前記キーワードと合致すると、前記キーワード送受信回数が示す値を更新させ、
しきい値判断処理で、情報をアドレス帳管理テーブルに登録するか否かを、前記キーワード送受信回数と、予め決められている値であるユーザ情報登録しきい値とにもとづいて判断させ、
情報登録処理で、前記しきい値判断処理において、情報を前記アドレス帳管理テーブルに登録すると判断すると、送受信した電子メールの前記送受信者情報と、キーワードとを対応づけて前記アドレス帳管理テーブルに登録させる
請求項９記載のアドレス帳登録プログラム。
【発明の詳細な説明】
【技術分野】
【０００１】
本発明は、通信先のアドレスをアドレス帳に登録するアドレス帳登録システム、およびアドレス帳登録プログラムに関し、特に、送受信した電子メールの情報を管理することによってアドレスを登録するアドレス帳登録システム、およびアドレス帳登録プログラムに関する。
【背景技術】
【０００２】
近年、インターネットを介して電子メールの送受信が多く行われている。特に、多人数に一斉に同一内容の電子メールを送信する同報送信を行うことができるため、送信者に関係する業務等を行う複数の人に、一度に情報を提供することができるため、便利である。
【０００３】
電子メールアドレスはアドレス帳に登録されることが多い。電子メールの送受信を行う電子メールアドレスをアドレス帳に登録する場合、送信者が送信先の電子メールアドレスを手動で登録したり、ユーザ管理システム等に登録されているユーザ一覧から送信先を手動で選択しなければならず、アドレス帳の登録に手間がかかっていた。
【０００４】
特許文献１に記載されているシステムは、送信先の電子メールアドレスと、送信先の属性とを記憶し、条件に合致する属性の電子メールアドレスを抽出して、抽出した電子メールアドレスに電子メールを送信する。
【０００５】
特許文献２に記載されている方法は、受信した電子メールを、所定のルールにもとづいて分割して保存する。
【０００６】
【特許文献１】特開２００２−１６３２０２号公報  （段落００１６〜００４２、図１）
【特許文献２】特開平１１−２０３２１４号公報  （段落００３１〜０１２８、図１）
【発明の開示】
【発明が解決しようとする課題】
【０００７】
しかし、特許文献１に記載されているシステムは、使用者は、送信先の属性を手動で入力しなければならず、手間がかかる。
【０００８】
また、特許文献２に記載されている方法は、受信した電子メールに対して特定の電子メールアドレスに返信したり、転送したりする場合、送信先の電子メールアドレスを手動で入力しなければならず、手間がかかる。
【０００９】
そこで、本発明は、送受信履歴にもとづいて、送受信先をテーブルで管理することができるアドレス帳登録システム、およびアドレス帳登録プログラムを提供することを目的とする。
【課題を解決するための手段】
【００１０】
本発明によるアドレス帳登録システムは、送受信した電子メールの送受信者の電子メールアドレスを示す送受信者情報、および電子メールが含むキーワードを対応づけるアドレス帳管理テーブルと、送受信者情報が示す電子メールアドレス、および電子メールアドレスが示す送受信者と電子メールを送受信した回数であるアドレス送受信回数を対応づける送受信集計管理テーブルと、電子メールを送受信すると、送受信集計管理テーブルにおける送受信した電子メールの送信先または送信元の電子メールアドレスに対応づけられたアドレス送受信回数が示す値を更新するカウント手段と、情報をアドレス帳管理テーブルに登録するか否かを、アドレス送受信回数と、予め決められている値であるキーワード情報登録しきい値とにもとづいて判断するしきい値判断手段と、しきい値判断手段が、情報をアドレス帳管理テーブルに登録すると判断すると、送受信した電子メールの送受信者情報と、キーワードとを対応づけてアドレス帳管理テーブルに登録する情報登録手段とを備えたことを特徴とする。
【００１１】
カウント手段は、電子メールを送受信すると、送受信集計管理テーブルにおける送受信した電子メールの送信先または送信元の電子メールアドレスに対応づけられたアドレス送受信回数が示す値に１を加えてもよく、しきい値判断手段は、アドレス送受信回数が、キーワード情報登録しきい値以上であると判断すると、情報をアドレス帳管理テーブルに登録すると判断してもよい。
【００１２】
送受信者情報、キーワード、および電子メールの同報者の電子メールアドレスを示す同報者情報との組み合わせと、組み合わせに合致する電子メールを送受信した回数であるキーワード送受信回数とを対応づける履歴管理テーブルを含んでもよく、カウント手段は、送受信した電子メールの送受信者情報が示す電子メールアドレスおよびキーワードが、履歴管理テーブルの電子メールアドレスおよびキーワードと合致すると、キーワード送受信回数が示す値を更新してもよく、しきい値判断手段は、情報をアドレス帳管理テーブルに登録するか否かを、キーワード送受信回数と、予め決められている値であるユーザ情報登録しきい値とにもとづいて判断してもよく、情報登録手段は、しきい値判断手段が、情報をアドレス帳管理テーブルに登録すると判断すると、送受信した電子メールの送受信者情報と、キーワードとを対応づけてアドレス帳管理テーブルに登録してもよい。
【００１３】
カウント手段は、送受信した電子メールの送受信者情報が示す電子メールアドレスおよびキーワードが、履歴管理テーブルの電子メールアドレスおよびキーワードと合致すると、キーワード送受信回数が示す値に１を加えてもよく、しきい値判断手段は、キーワード送受信回数が、ユーザ情報登録しきい値以上であると判断すると、情報をアドレス帳管理テーブルに登録すると判断してもよい。
【００１４】
情報登録手段は、送受信した電子メールの送受信者情報と、キーワードと、同報者情報との組み合わせが履歴管理テーブルに含まれていないと、送受信した電子メールの送受信者情報と、キーワードと、同報者情報との組み合わせを履歴管理テーブルに登録してもよい。
【００１５】
電子メールを作成する際に用いられる電子メール作成画面が含む送信先電子メールアドレスを入力する欄と、同報者の電子メールアドレスを入力する欄と、タイトルを入力する欄とに、履歴管理テーブルに登録されている情報にもとづいて、それぞれ情報を入力する情報入力手段を含んでもよく、情報入力手段は、電子メール作成画面におけるタイトルを入力する欄に、アドレス帳管理テーブルのキーワードを入力してもよい。
【００１６】
情報入力手段は、アドレス帳管理テーブルと履歴管理テーブルとにもとづいて、電子メール作成画面の各欄にそれぞれ情報を入力してもよい。
【００１７】
情報登録手段は、送受信した電子メールの送受信者情報が送受信集計管理テーブルに含まれていないと、送受信した電子メールの送受信者情報を送受信集計管理テーブルに登録してもよい。
【００１８】
本発明によるアドレス帳登録プログラムは、送受信した電子メールの送受信者の電子メールアドレスを示す送受信者情報と、電子メールが含むキーワードとを対応づけるアドレス帳管理テーブル、および送受信者情報が示す電子メールアドレスと、電子メールアドレスが示す送受信者と電子メールを送受信した回数であるアドレス送受信回数とを対応づける送受信集計管理テーブルを記憶する記憶手段に接続されたコンピュータに、電子メールを送受信すると、送受信集計管理テーブルにおける送受信した電子メールの送信先または送信元の電子メールアドレスに対応づけられたアドレス送受信回数が示す値を更新するカウント処理と、情報をアドレス帳管理テーブルに登録するか否かを、アドレス送受信回数と、予め決められている値であるキーワード情報登録しきい値とにもとづいて判断させるしきい値判断処理と、しきい値判断処理で、情報をアドレス帳管理テーブルに登録すると判断すると、送受信した電子メールの送受信者情報と、キーワードとを対応づけてアドレス帳管理テーブルに登録させる情報登録処理とを実行させることを特徴とする。
【００１９】
コンピュータに接続された記憶手段が、送受信者情報と、キーワードと、電子メールの同報者の電子メールアドレスを示す同報者情報との組み合わせと、組み合わせに合致する電子メールを送受信した回数であるキーワード送受信回数とを対応づける履歴管理テーブルを記憶すると、コンピュータに、カウント処理で、送受信した電子メールの送受信者情報が示す電子メールアドレスおよびキーワードが、履歴管理テーブルの電子メールアドレスおよびキーワードと合致すると、キーワード送受信回数が示す値を変更させてもよく、しきい値判断処理で、情報をアドレス帳管理テーブルに登録するか否かを、キーワード送受信回数と、予め決められている値であるユーザ情報登録しきい値とにもとづいて判断させてもよく、情報登録処理で、しきい値判断処理において、情報をアドレス帳管理テーブルに登録すると判断すると、送受信した電子メールの送受信者情報と、キーワードとを対応づけてアドレス帳管理テーブルに登録させてもよい。
【発明の効果】
【００２０】
本発明によれば、同じ送受信先と予め決められた回数電子メールを送受信すると、送受信先の電子メールアドレスと、キーワードとを管理するアドレス帳管理テーブルに情報を登録することができる。
【００２１】
カウント手段が、電子メールを送受信すると、送受信先ごとにアドレス送受信回数に１を加え、しきい値判断手段が、アドレス送受信回数がキーワード情報登録しきい値以上であれば、情報をアドレス帳管理テーブルに登録すると判断するように構成されている場合には、情報をアドレス帳管理テーブルに登録する際の判断を容易に行うことができる。
【００２２】
送受信者情報と、キーワードと、電子メールの同報者の電子メールアドレスを示す同報者情報との組み合わせと、その組み合わせに合致する電子メールを送受信した回数であるキーワード送受信回数とを対応づける履歴管理テーブルを含むように構成されている場合には、同じ送受信先と予め決められた回数以上同じキーワードを含む電子メールを送受信すると、送受信先の電子メールアドレスと、キーワードとを管理するアドレス帳管理テーブルに情報を登録することができる。
【００２３】
履歴管理テーブルの電子メールアドレスおよびキーワードと合致するような電子メールを送受信すると、カウント手段が、キーワード送受信回数に１を加え、しきい値判断手段が、キーワード送受信回数がユーザ情報登録しきい値以上であれば、情報をアドレス帳管理テーブルに登録すると判断するように構成されている場合には、情報をアドレス帳管理テーブルに登録する際の判断を容易に行うことができる。
【００２４】
履歴管理テーブルに登録されていない送受信先と電子メールを送受信すると、送受信した電子メールの情報を、履歴管理テーブルに登録するように構成されている場合には、使用者が履歴管理テーブルに情報を登録する手間を減らすことができる。
【００２５】
履歴管理テーブル、またはアドレス帳管理テーブルおよび履歴管理テーブルに登録されている情報にもとづいて、電子メール作成画面の各欄に情報を入力するように構成されている場合には、使用者が電子メール作成画面で情報を入力する手間を減らすことができる。
【００２６】
送受信集計管理テーブルに登録されていない送受信先と電子メールを送受信すると、送受信した電子メールの電子メールアドレスを、送受信集計管理テーブルに登録するように構成されている場合には、使用者が送受信集計管理テーブルに情報を登録する手間を減らすことができる。
【発明を実施するための最良の形態】
【００２７】
本発明の実施の形態について、図面を参照して説明する。図１は、本発明によるアドレス帳登録システムの一構成例を示すブロック図である。
【００２８】
本実施の形態では、アドレス帳登録システムは、送受信した電子メールを記憶する電子メールデータベース１と、送受信した電子メールが含むキーワードや電子メールを送受信した回数等の情報を記憶する電子メール履歴管理データベース２（記憶手段）と、電子メールデータベース１および電子メール履歴管理データベース２を管理する制御部３（カウント手段、しきい値判断手段、情報登録手段、情報入力手段）とを含む。
【００２９】
電子メールデータベース１と電子メール履歴管理データベース２とは、例えば、ハードディスク装置等の記憶手段によって実現される。制御部３は、例えば、パーソナルコンピュータやサーバ等に搭載され、プログラム制御によって処理を実行するＣＰＵによって実現される。そして、制御部３を実現するパーソナルコンピュータやサーバ等は、アドレス帳登録プログラムを搭載している。
【００３０】
電子メール履歴管理データベース２は、履歴管理テーブル２１、送受信集計管理テーブル２２、およびアドレス帳管理テーブル２３を含む。また、電子メール履歴管理データベース２には、しきい値が登録されるしきい値管理テーブル２４が含まれている。
【００３１】
履歴管理テーブル２１には、電子メールの送受信回数が、電子メールのタイトルに含まれていたキーワード毎および送受信者の電子メールアドレス毎に記憶されている。また、電子メールの同報送信の相手先であった同報者の電子メールアドレスが、キーワードおよび送受信者の電子メールアドレスに対応して記憶されている。送受信回数は、キーワード送受信カウンタの値として表されている。図２は、履歴管理テーブル２１の一構成例を示す説明図である。
【００３２】
また、送受信集計管理テーブル２２には、電子メールの送受信回数が、電子メールの送受信者毎に記憶されている。送受信回数は、アドレス送受信カウンタの値として表されている。図３は、送受信集計管理テーブル２２の一構成例を示す説明図である。
【００３３】
さらに、アドレス帳管理テーブル２３には、電子メールアドレスが、相手の名前、電話番号、電子メールを送受信する際に用いるキーワード等を対応づけるアドレス帳管理テーブル２３を記憶している。図４は、アドレス帳管理テーブル２３の一構成例を示す説明図である。
【００３４】
また、電子メール履歴管理データベース２は、制御部３が、アドレス帳管理テーブル２３に、電子メールアドレス等のユーザ情報を登録するか否かを決定する電子メールの送受信回数のしきい値であるユーザ情報登録しきい値と、制御部３が、アドレス帳管理テーブル２３に、キーワードを登録するか否かを決定するしきい値であるキーワード情報登録しきい値とを設定するしきい値管理テーブル２４を記憶している。図５は、しきい値管理テーブル２４の一構成例を示す説明図である。
【００３５】
なお、制御部３は、一例として、電子メールのタイトルのうち墨付き括弧（ＪＩＳ区点１−５８および１−５９）で囲まれている範囲をキーワードとして認識する。
【００３６】
次に、本発明の実施の形態の動作を図面を参照して説明する。図６は、制御部３が、受信した電子メールにもとづいて、各テーブルの情報を更新する際の動作を説明するフローチャートである。
【００３７】
制御部３は、電子メールを受信すると（ステップＳ１０１）、受信した電子メールを電子メールデータベースに記憶させ、アドレス帳管理テーブル２３を参照する。そして、制御部３は、受信した電子メールの送信者の電子メールアドレスが、アドレス帳管理テーブル２３に登録されているか否かを判断する（ステップＳ１０２）。なお、制御部３は、例えば、図７に示す電子メール受信画面を表示手段（図示せず）表示させる。図７は、電子メール受信画面の一例を示す説明図である。
【００３８】
制御部３は、受信した電子メールの送信者の電子メールアドレスが、アドレス帳管理テーブル２３に登録されていると判断すると、送受信集計管理テーブル２２における受信した電子メールの送信者の電子メールアドレスに対応づけられたアドレス送受信カウンタの値に１を加える（ステップＳ１０３）。
【００３９】
そして、制御部３は、アドレス帳管理テーブル２３に、受信した電子メールの送信者の電子メールアドレスに対応づけて、受信した電子メールのタイトルが含むキーワードが登録されているか否かを判断する（ステップＳ１０４）。
【００４０】
制御部３は、アドレス帳管理テーブル２３に、受信した電子メールの送信者の電子メールアドレスに対応づけて、受信した電子メールのタイトルが含むキーワードが登録されていないと判断すると、履歴管理テーブル２１と、しきい値管理テーブル２４とを参照する。そして、制御部３は、履歴管理テーブル２１における受信した電子メールのタイトルが含むキーワードのキーワード送受信カウンタの値に１を加え（ステップＳ１１７）、しきい値管理テーブル２４におけるキーワード情報登録しきい値の値以上であるか否かを判断する（ステップＳ１０５）。
【００４１】
制御部３は、履歴管理テーブル２１における受信した電子メールのタイトルが含むキーワードのキーワード送受信カウンタの値が、しきい値管理テーブル２４におけるキーワード情報登録しきい値の値以上であると判断すると、アドレス帳管理テーブル２３に、受信した電子メールの送信者の電子メールアドレスに対応づけて、受信した電子メールのタイトルが含むキーワードを登録する（ステップＳ１０６）。
【００４２】
制御部３は、受信した電子メールの送信者の電子メールアドレスが、アドレス帳管理テーブル２３に登録されていないと判断すると、送受信者集計管理テーブル２２と履歴管理テーブル２１とを参照する。そして、制御部３は、電子メールの送信者の電子メールアドレスと、受信した電子メールのタイトル欄に含まれるキーワードとにもとづいて、電子メールアドレスおよびキーワードをアドレス帳管理テーブル２３に登録するか否かを判断する（ステップＳ１０７）。
【００４３】
制御部３は、受信した電子メールの送信者の電子メールアドレスが、履歴管理テーブル２１と送受新管理テーブル２２とに登録されていない場合、受信した電子メールの送信者の電子メールアドレスと、受信した電子メールのタイトル欄に含まれるキーワードと、受信した電子メールの同報者の電子メールアドレスと、１に設定したキーワード送受信カウンタとを対応づけたレコードを履歴管理テーブル２１に追加して登録する（ステップＳ１０８）。図８は、制御部３が履歴管理テーブル２１へレコードを登録する場合を説明する説明図である。
【００４４】
そして、制御部３は、受信した電子メールの送信者の電子メールアドレスと、１に設定したアドレス送受信カウンタとを対応づけたレコードを送受信集計管理テーブル２２に追加して登録する（ステップＳ１０９）。図９は、制御部３が送受信集計管理テーブル２２へレコードを登録する場合を説明する説明図である。
【００４５】
また、制御部３は、受信した電子メールの送信者の電子メールアドレスが、履歴管理テーブル２１に登録されているが、受信した電子メールのタイトル欄に含まれるキーワードが履歴管理テーブル２１に登録されていない場合、受信した電子メールの送信者の電子メールアドレスと、受信した電子メールのタイトル欄に含まれるキーワードと、受信した電子メールの同報者の電子メールアドレスと、１に設定したキーワード送受信カウンタとを対応づけたレコードを履歴管理テーブル２１に追加して登録する（ステップＳ１１０）。
【００４６】
そして、制御部３は、送受信集計管理テーブル２２における、受信した電子メールの送信者の電子メールアドレスに対応づけられたアドレス送受信カウンタの値に１を加える（ステップＳ１１１）。図１０は、制御部３が、受信した電子メールの送信者の電子メールアドレスに対応づけられたアドレス送受信カウンタの値に１を加えた送受信集計管理テーブル２２を示す説明図である。
【００４７】
また、制御部３は、受信した電子メールの送信者の電子メールアドレスが、履歴管理テーブル２１に登録されていて、受信した電子メールのタイトル欄に含まれるキーワードが履歴管理テーブル２１に登録されている場合、履歴管理テーブル２１における受信した電子メールの送信者の電子メールアドレスに対応づけられたキーワード送受信カウンタの値に１を加える（ステップＳ１１２）。図１１は、制御部３が、受信した電子メールの送信者の電子メールアドレスに対応づけられたキーワード送受信カウンタの値に１を加えた履歴管理テーブル２１を示す説明図である。図１１に示す例では、図８の例に示した履歴管理テーブル２１のＵｓｅｒ１＠ｘｘｘ．ｙｙｙｙのキーワードがｃｃｃであるキーワード送受信カウンタの値に１を加えている。
【００４８】
そして、制御部３は、送受信集計管理テーブル２２における、受信した電子メールの送信者の電子メールアドレスに対応づけられたアドレス送受信カウンタの値に１を加える（ステップＳ１１３）。
【００４９】
制御部３は、送受信集計管理テーブル２２における、受信した電子メールの送信者の電子メールアドレスに対応づけられたアドレス送受信カウンタの値に１を加えると、しきい値管理テーブル２４を参照する。そして、制御部３は、送受信集計管理テーブル２２におけるアドレス送受信カウンタの値と、しきい値管理テーブル２４におけるユーザ情報登録しきい値の値とを比較する（ステップＳ１１４）。
【００５０】
制御部３は、送受信集計管理テーブル２２におけるアドレス送受信カウンタの値が、しきい値管理テーブル２４におけるユーザ情報登録しきい値の値以上の場合、使用者にアドレス帳管理テーブル２３に情報を登録するか否かを選択させる（ステップＳ１１５）。そして、使用者がアドレス帳管理テーブル２３に情報を登録することを選択すると、アドレス帳管理テーブル２３に登録する情報を入力する画面を表示手段に表示させる。図１２は、使用者がアドレス帳管理テーブル２３に登録する情報を入力する画面の一例を示す説明図である。制御部３は、図１２の例に示す画面の電子メールアドレスの欄に、受信した電子メールの送信者の電子メールアドレスを入力し、キーワードの欄に、受信した電子メールが含むキーワードを入力し、同報者の欄に、同報者の電子メールアドレスを入力する。
【００５１】
なお、制御部３は、履歴管理テーブル２１における受信した電子メールアドレスのキーワード送受信カウンタの値が、しきい値管理テーブル２４におけるキーワード情報登録しきい値の値よりも大きい場合、履歴管理テーブル２１のキーワードと、同報者の電子メールアドレスとを抽出し、図１２の例に示す画面の、タイトルの欄と、同報者の欄とに、抽出した情報をそれぞれ入力してもよい。
【００５２】
制御部３は、入力された情報をアドレス帳管理テーブル２３に登録する（ステップＳ１１６）。
【００５３】
なお、制御部３は、電子メールを送信する際に、上述した各ステップにもとづいて、送信先の情報を送受信集計管理テーブル２２、履歴管理テーブル２１、およびアドレス帳管理テーブル２３に情報を登録してもよい。その際には、制御部３の動作は、各ステップの説明における「受信」は、「送信」に読み替えて説明されるものとする。
【００５４】
次に、電子メールを新規に作成する際の動作について説明する。使用者が、所定の操作を行うと、制御部３は、アドレス帳管理テーブル２３を表示手段に表示させる。具体的には、制御部３は、例えば、図４の例に示すアドレス帳管理テーブル２３を、表示手段に表示させる。
【００５５】
使用者が、キーボード等の操作手段（図示せず）を操作して、アドレス帳管理テーブル２３が表示された画面上で、送信者とキーワードとを選択すると、制御部３は、使用者が選択した送信先の電子メールアドレスを特定する。ここでは、使用者が、送受信者としてＵｓｅｒ１を選択し、キーワードとしてａａａを選択したものとする。すると、制御部３は、アドレス帳管理テーブル２３を参照して、Ｕｓｅｒ１の電子メールアドレスを、Ｕｓｅｒ１＠ｘｘｘ．ｙｙｙｙであると特定する。
【００５６】
そして、制御部３は、使用者が選択した送信先の電子メールアドレスとキーワードとに対応づけられている同報者の電子メールアドレスを履歴管理テーブル２１から抽出する。図１３は、制御部３が、特定した電子メールアドレスと、使用者が選択したキーワードとに対応づけられている同報者の電子メールアドレスとを抽出する履歴管理テーブル２１の例を示す説明図である。
【００５７】
制御部３は、アドレス帳管理テーブル２３を参照して特定した送信先の電子メールアドレスと、使用者が選択したキーワードと、履歴管理テーブル２１から抽出した同報者の電子メールアドレスとを、電子メール作成画面の所定の欄に入力する。図１４は、電子メール作成画面の一例を示す説明図である。具体的には、制御部３は、アドレス帳管理テーブル２３を参照して特定した送信先の電子メールアドレスを宛先の欄に入力し、履歴管理テーブル２１から抽出した同報者の電子メールアドレスを宛先またはＣＣの欄に入力し、使用者が選択したキーワードをタイトルの欄に入力する。
【００５８】
なお、使用者は、キーボード等の操作手段を操作して、電子メール作成画面の同報者の欄（図１４におけるＣＣの欄）に入力された電子メールアドレスを削除したり、新たに追加したりしてもよい。
【００５９】
また、制御部３は、使用者がキーボード等の操作手段に所定の操作を行うと、履歴管理テーブル２１から、各キーワードに対応する関係者の情報によるリストを生成して表示手段に表示させてもよい。図１５は、使用者が履歴管理テーブル２１から、各キーワードに対応する関係者の情報によるリストを生成させる際に、制御部３が表示手段に表示させる画面の一例を示す説明図である。制御部３は、例えば、図１５の例に示す画面上で、キーワードの欄がクリックされると、制御部３は、履歴管理テーブル２１から、各キーワードに対応する関係者の情報によるリストを生成する。
【００６０】
具体的には、制御部３は、履歴管理テーブル２１から、各キーワードと、各キーワードに対応づけられた送受信者および同報者の電子メールアドレスとのリストを生成する。なお、履歴管理テーブル２１において、同じキーワードに対して、異なる送受信者と同報者との電子メールアドレスが対応づけられている異なるレコードが存在すると、制御部３は、一のキーワードの関連者として、１つの関連者の欄に、複数の異なる送受信者と同報者との電子メールアドレスを含ませる。図１６は、履歴管理テーブル２１から生成した各キーワードに対応づけられている送受信者と同報者との電子メールアドレスのリストを示す説明図である。制御部３は、生成したリストを、表示手段に表示させる。
【００６１】
そして、制御部３は、使用者がキーボード等の操作手段を操作して、一のキーワードを選択すると、選択されたキーワードの関連者の欄の電子メールアドレスを電子メール作成画面の宛先の欄に入力し、キーワードをタイトルの欄に入力する。図１７は、電子メール作成画面において、情報が入力された場合を示す説明図である。
【００６２】
以上に述べたように、この実施の形態によれば、制御部３が、各テーブルを用いて電子メールの送受信履歴を管理するため、使用者が電子メールの送受信履歴を管理する手間を省くことができる。
【００６３】
また、電子メールを作成する際に、制御部３が、各テーブルの情報を用いて送信者や同報者の欄に情報を入力するため、電子メールの作成を容易に行うことができる。
【００６４】
なお、アドレス帳管理テーブル２３、またはアドレス帳管理テーブル２３と履歴管理テーブル２１とは、実質的にアドレス帳に相当している。従って、アドレス帳管理テーブル２３を作成すること、またはアドレス帳管理テーブル２３と履歴管理テーブル２１とを作成することは、実質的に、アドレス帳を作成することになる。換言すれば、アドレス帳管理テーブル２３に新規情報を登録すること、またはアドレス帳管理テーブル２３と履歴管理テーブル２１とに新規情報を登録することは、実質的に、アドレス帳に通信先のアドレス等を登録することになる。
【産業上の利用可能性】
【００６５】
本発明は、電子メールを送受信するコンピュータや、そのようなコンピュータに搭載されるプログラムに適用することができる。
【図面の簡単な説明】
【００６６】
【図１】本発明のアドレス帳登録システムの実施の形態の一構成例を示すブロック図である。
【図２】履歴管理テーブルの一構成例を示す説明図である。
【図３】送受信集計管理テーブルの一構成例を示す説明図である。
【図４】アドレス帳管理テーブルの一構成例を示す説明図である。
【図５】しきい値管理テーブルの一構成例を示す説明図である。
【図６】制御部が、受信した電子メールにもとづいて、各テーブルの情報を更新する際の動作を説明するフローチャートである。
【図７】電子メール受信画面の一例を示す説明図である。
【図８】制御部が履歴管理テーブルへレコードを登録する場合を説明する説明図である。
【図９】制御部が送受信集計管理テーブルへレコードを登録する場合を説明する説明図である。
【図１０】制御部が、受信した電子メールの送信者の電子メールアドレスに対応づけられたアドレス送受信カウンタの値に１を加えた送受信集計管理テーブルを示す説明図である。
【図１１】制御部が、受信した電子メールの送信者の電子メールアドレスに対応づけられたキーワード送受信カウンタの値に１を加えた履歴管理テーブルを示す説明図である。
【図１２】使用者がアドレス帳管理テーブルに登録する情報を入力する画面の一例を示す説明図である。
【図１３】制御部が、特定した電子メールアドレスと、使用者が選択したキーワードとに対応づけられている同報者の電子メールアドレスとを抽出する履歴管理テーブルの例を示す説明図である。
【図１４】電子メール作成画面の一例を示す説明図である。
【図１５】使用者が履歴管理テーブルから、各キーワードに対応する関係者の情報によるリストを生成させる際に、制御部が表示手段に表示させる画面の一例を示す説明図である。
【図１６】履歴管理テーブルから生成した各キーワードに対応づけられている送受信者と同報者との電子メールアドレスのリストを示す説明図である。
【図１７】電子メール作成画面において、情報が入力された場合を示す説明図である。
【符号の説明】
【００６７】
１  電子メールデータベース
２  電子メール履歴管理データベース
３  制御部
２１  履歴管理テーブル
２２  送受信集計管理テーブル
２３  アドレス帳管理テーブル
２４  しきい値管理テーブル
【図１】
2006251929.tif 000003
【図２】
2006251929.tif 000004
【図３】
2006251929.tif 000005
【図４】
2006251929.tif 000006
【図５】
2006251929.tif 000007
【図６】
2006251929.tif 000008
【図７】
2006251929.tif 000009
【図８】
2006251929.tif 000010
【図９】
2006251929.tif 000011
【図１０】
2006251929.tif 000012
【図１１】
2006251929.tif 000013
【図１２】
2006251929.tif 000014
【図１３】
2006251929.tif 000015
【図１４】
2006251929.tif 000016
【図１５】
2006251929.tif 000017
【図１６】
2006251929.tif 000018
【図１７】
2006251929.tif 000019